(57)【要約】【課題】自然な転写動作で強制的に転写テープを送ることで、毎転写時に発生する転写開始位置の後退を改善するとともに、転写テープの送り量を大きく調整できる塗膜転写具を提供する。【解決手段】前端部に開口部２ａを有し、ケース支持部３０とケース蓋部４０とから構成されるケース内に、少なくとも転写ヘッド１１、供給リール５及び巻取リール６を有するベース部材５０を配設し、供給リール５より未使用の転写テープ８を繰り出し、開口部２ａから突出させた転写ヘッドの先端部１１ａで反転させ、巻取リール６に巻き取らせるようにした塗膜転写具であって、前記ベース部材５０から構成されたユニットがケース内で一体に可動し、転写ヘッド１１の押圧によるユニットの移動と連動して、転写テープ８が一定量送られることを特徴とする塗膜転写具である。【選択図】図１
2014156101.tif 000002
【特許請求の範囲】
【請求項１】
前端部に開口部を有するケース内に、少なくとも転写ヘッド、供給リール及び巻取リールを有するベース部材を配設し、供給リールより未使用の転写テープを繰り出し、開口部から突出させた転写ヘッドの先端部で反転させ、巻取リールに巻き取らせるようにした塗膜転写具であって、
前記ベース部材から構成されたユニットがケース内で一体に可動し、転写ヘッドの押圧によるユニットの移動と連動して転写テープが一定量送られることを特徴とする塗膜転写具。
【請求項２】
転写ヘッドの押圧による前記ユニットの移動手段が、ケース内に回動或いは揺動可能に軸着されている該ユニットの回転移動によるものであることを特徴とする請求項１に記載の塗膜転写具。
【請求項３】
転写ヘッドの押圧による前記ユニットの移動手段が、ケース内に摺動可能に装着されている該ユニットの直線移動によるものであることを特徴とする請求項１に記載の塗膜転写具。
【請求項４】
転写ヘッドの押圧により前記ユニットが移動した状態から、元の位置へ復帰するときにのみ転写テープが送られることを特徴とする請求項１〜３いずれかに記載の塗膜転写具。
【請求項５】
ケースと前記ユニットの間に伸縮部材が配設されており、該伸縮部材により、押圧を解除したときにユニットが元の位置に復帰することを特徴とする請求項１〜４いずれかに記載の塗膜転写具。
【請求項６】
ケースと供給リールが、単一方向にのみ回転を伝達する回転機構を介して連結されており、ケース内での前記ユニットの可動が、供給リールの回転運動に変換されることにより転写テープが一定量送られることを特徴とする請求項１〜５いずれかに記載の塗膜転写具。
【請求項７】
単一方向にのみ回転を伝達する回転機構は、供給リールと結合されたジョイントと同心回転を行うギアから構成されてなり、  
前記ギアとジョイントは各中央部に設けられた円穴が回転可能に軸着し、前記ギアの円周内淵に形成された歯溝と、前記ジョイントの外淵先端に形成された係合爪がラチェット構造を形成していることを特徴とする請求項６に記載の塗膜転写具。
【請求項８】
供給リール及び巻取リールが、前記ベース部材と脱着可能に設けられるホルダーに懸架され、リフィルユニットを構成していることを特徴とする請求項１〜７いずれかに記載の塗膜転写具。
【発明の詳細な説明】
【技術分野】
【０００１】
本発明は、手で把持して紙面等を押圧しながら移動させることにより、供給リールから繰出される転写テープに塗布されている塗膜を、紙面等に転写する塗膜転写具に関するものである。
【背景技術】
【０００２】
従来、塗膜転写具としては、前端部に開口部を設けたケース内に、供給リールと巻取リールを配設し、開口部より転写ヘッドの前端を突出させ、供給リールに巻回した転写テープ（基材の片面に塗膜を形成したもの）を繰出し、転写ヘッドの前端で反転させて巻取リールに巻取らせるようにした構造が一般的である（例えば、特許文献１、２参照）。
【０００３】
しかしながら、上記構造の塗膜転写具では、紙面等の被転写面に押圧転写した後、転写具を被転写面から引上げる際、塗膜が伸びて切れてしまうため、供給リールに巻回された未使用の転写テープに残る塗膜の切れ目が、被転写面と転写ローラーとの接地点よりも後退してしまう。それにより、次回転写時に使用者が意図する転写開始位置と、実際の転写開始位置との乖離が生じる。
【０００４】
この現象を改善するため、転写テープの移動する方向に揺動可能なスイングアームと、非使用時にスイングアームを転写テープが送られる方向とは逆の方向に弾性力を付勢するばね部材とを具備する転写ヘッドを採用し、転写時の振動を緩和するための手段として、転写ヘッドとケースの間に、スイングアームが揺動する際に摩擦を付与する手段を具備する転写ヘッドが知られている（特許文献３参照）。
【０００５】
上記の方法によれば、転写テープの移動方向に揺動していたスイングアームが、使用終了により被転写面から離れる際に、ばね部材の付勢力により転写テープの送られる方向とは逆方向に揺動する。この揺動作用により、塗膜が被転写面と転写ローラーとの接地点より後退した位置で切れた場合でも、転写ヘッドが切れ目位置までばね部材の付勢力により戻ることで、次回使用時に使用者が意図する転写開始位置で転写することができる。
【０００６】
しかしながら、上記の方法では転写ヘッドの可動量がヘッドに対するテープ前進量となるため、転写後の粘着面が大きく糊伸びするなどして後退量が大きくなった際には、テープ前進量を大きくしなければ機能が達成されないこととなる。テープ前進量を大きくするには必然的に転写ヘッドの可動量を大きくする必要があり、自然な操作感から大きく逸脱してしまう。
【先行技術文献】
【特許文献】
【０００７】
【特許文献１】特開２００３−０５４１９０号公報
【特許文献２】特開２００８−３０２５９８号公報
【特許文献３】特開２０１１−１３６４５０号公報
【発明の概要】
【発明が解決しようとする課題】
【０００８】
本発明は、自然な転写動作で強制的に転写テープを送ることで、毎転写時に発生する転写開始位置の後退を改善するとともに、転写テープの送り量を大きく調整できる塗膜転写具を提供することを目的とする。
【課題を解決するための手段】
【０００９】
上記目的を達成するため、本発明は下記の構成の塗膜転写具を提供する。
【００１０】
（１）前端部に開口部を有するケース内に、少なくとも転写ヘッド、供給リール及び巻取リールを有するベース部材を配設し、供給リールより未使用の転写テープを繰り出し、開口部から突出させた転写ヘッドの先端部で反転させ、巻取リールに巻き取らせるようにした塗膜転写具であって、
前記ベース部材から構成されたユニットがケース内で一体に可動し、転写ヘッドの押圧によるユニットの移動と連動して転写テープが一定量送られることを特徴とする塗膜転写具。
（２）転写ヘッドの押圧による前記ユニットの移動手段が、ケース内に回動或いは揺動可能に軸着されている該ユニットの回転移動によるものであることを特徴とする上記（１）に記載の塗膜転写具。
（３）転写ヘッドの押圧による前記ユニットの移動手段が、ケース内に摺動可能に装着されている該ユニットの直線移動によるものであることを特徴とする上記（１）に記載の塗膜転写具。
（４）転写ヘッドの押圧により前記ユニットが移動した状態から、元の位置へ復帰するときにのみ転写テープが送られることを特徴とする上記（１）〜（３）いずれかに記載の塗膜転写具。
（５）ケースと前記ユニットの間に伸縮部材が配設されており、該伸縮部材により、押圧を解除したときにユニットが元の位置に復帰することを特徴とする上記（１）〜（４）いずれかに記載の塗膜転写具。
（６）ケースと供給リールが、単一方向にのみ回転を伝達する回転機構を介して連結されており、ケース内での前記ユニットの可動が、供給リールの回転運動に変換されることにより転写テープが一定量送られることを特徴とする上記（１）〜（５）いずれかに記載の塗膜転写具。
（７）単一方向にのみ回転を伝達する回転機構は、供給リールと結合されたジョイントと同心回転を行うギアから構成されてなり、  
前記ギアとジョイントは各中央部に設けられた円穴が回転可能に軸着し、前記ギアの円周内淵に形成された歯溝と、前記ジョイントの外淵先端に形成された係合爪がラチェット構造を形成していることを特徴とする上記（６）に記載の塗膜転写具。
（８）供給リール及び巻取リールが、前記ベース部材と脱着可能に設けられるホルダーに懸架され、リフィルユニットを構成していることを特徴とする上記（１）〜（７）いずれかに記載の塗膜転写具。
【発明の効果】
【００１１】
請求項１の発明によれば、転写後の塗膜の位置が転写ヘッドに対して後退した位置で切れてしまった場合でも、転写テープが一定量送られることによって、使用者が塗膜転写具を使用する自然な動作で転写後の塗膜位置が転写ヘッドに対し前進した状態になるため、次回の転写時に使用者が狙った位置から塗膜を転写することが可能となる。
【００１２】
また、ユニットの移動量（ユニットとケースとの相対的な移動長）と、ユニットとケースを連結するギアの径（ユニットの移動を回転運動に変換する作用点の半径）によって、テープ送り量が決定されるため、其々は容易に調整可能となり、テープ送り量を広範囲に調整することができる。さらに、少ないユニット移動量で、大きなテープ送り量を実現することができる。
【００１３】
請求項２、３の発明によれば、ユニットの移動が規制されることでテープの送り量の確度を向上させることができる。
【００１４】
請求項４の発明によれば、転写動作を終了し被転写面からの押圧解除する製品の引上げ動作と同時に転写テープが送られるため、従来の転写要領から逸脱することなく効率的にテープ送りを実現できる。
【００１５】
請求項５の発明によれば、転写動作によって移動後の位置にあるユニットを容易かつ確実に初期位置に復帰させることができ、安定した動作を実現できる。
【００１６】
請求項６の発明によれば、ケース内でのユニットの可動を確実に供給リールの回転へ確実に伝達でき、引上げ時のみのテープ送りを容易に実現できる。
【００１７】
請求項７の発明によれば、比較的簡易な形状で、ケースとユニット間の直線または曲線運動を回転運動に変換するとともに、一方には空転するが、逆方向には係合爪と歯溝が係り合うことで回転力を伝達することができる。これにより、従来の塗膜転写具で起こっていた、転写後の塗膜の位置が転写ヘッドに対して後退した位置で切れてしまう状況に対しても、使用者が転写以外の動作を行うことなく確実に転写テープを送り出すことができる塗膜転写具を提供できる。
【００１８】
請求項８の発明によれば、使用済みの転写テープを新規のものに交換可能となり、交換方式の塗膜転写具においても上記のテープ送り機能を実現できる。
【図面の簡単な説明】
【００１９】
【図１】本発明の一実施形態に係る塗膜転写具の（ａ）正面図と（ｂ）背面図である。
【図２】塗膜転写具のケース及びユニットの分解斜視図である。
【図３】塗膜転写具のケース支持部及びユニットの分解斜視図である。
【図４】塗膜転写具のリフィルユニット及びケース蓋部の分解斜視図である。
【図５】巻取機構の分解斜視図である。
【図６】塗膜転写具の一連のテープ送り動作を表す図である。                    （ａ）転写ヘッドを被転写面に接触させた状態の背面図                          （ｂ）ユニットがケース内で揺動した状態の背面図                              （ｃ）上記（ｂ）の正面図                                                    （ｄ）被転写面に転写テープを転写後、ケースを被転写面から引き上げユニットが元の位置に復帰した状態の正面図
【図７】塗膜転写具のリフィル交換の一連の動作態様を示す図である。            （ａ）交換前の正面図                                                        （ｂ）ケース蓋部を開き、当該動作と連動して転写ヘッドが後退した状態を示す正面（ｃ）ホルダーを引き出しリフィルユニットが本体と分離した状態の斜視図
【図８】塗膜転写具のリフィルユニットを除外した、ケース蓋部と転写ヘッドの連動部位を示す分解斜視図である。
【発明を実施するための形態】
【００２０】
以下、本発明の塗膜転写具の実施形態を、図面を参照しながら説明する。
図１〜図５は本発明の一実施形態に係る塗膜転写具の構造を示す説明図、図６は塗膜転写具の転写テープ送り動作態様を示す説明図、図７及び図８は塗膜転写具のリフィルユニットの交換動作態様を示す説明図である。
【００２１】
次に図１〜図５を用いて、本発明の一実施形態における塗膜転写具の構成を説明する。
【００２２】
本発明に係る塗膜転写具１は、図１（ａ）に正面図、図１（ｂ）に背面図を示すように、前端部に開口部２ａを有するケース２内に、少なくとも転写ヘッド１１、供給リール５及び巻取リール６を有し、またそれらの部品を有するベース部材５０を配設し、供給リール５より未使用の転写テープ８を繰り出し、開口部２ａから突出させた転写ヘッドの先端部１１ａで反転させ、巻取リール６に巻き取らせるようにした塗膜転写具である。
【００２３】
塗膜転写具１は、ベース部材５０から構成されるユニット７０が、ケース２内で一体に可動し、転写ヘッド１１の押圧によるユニット７０の移動と連動して、転写テープ８が一定量送られる。
【００２４】
図１に示す塗膜転写具１は、転写ヘッド１１を有するベース部材５０と、供給リール５及び巻取リール６を有しベース部材５０に対して脱着可能なホルダー６０とを配設し、供給リール５より未使用の転写テープ８を繰出し、開口部２ａから突出させた転写ヘッドの先端部１１ａで反転させ、巻取リール６に巻き取らせるようにした塗膜転写具である。
【００２５】
本実施形態は詰め替えを想定した形態であるため、ユニット７０がホルダーを有しているが、ホルダーは必須ではなく、転写テープをベース部材に搭載してもよい。
【００２６】
一般的に、転写テープ８は、ポリエチレンテレフタレート、ポリプロピレン、ポリエチレン等のプラスチックフィルムまたは紙からなる、厚さ３〜６０μｍの基材の片面もしくは両面にシリコーン樹脂等の離型層を形成し、この基材の片面に、従来公知の方法で粘着剤等を塗布することにより作製される。粘着剤としては、アクリル樹脂系、ビニル樹脂系、ロジン系、ゴム系等の粘着剤、或いはこれらの粘着剤に架橋剤、粘着付与剤、可塑剤、老化防止剤、充填剤、増粘剤、ｐＨ調整剤、消泡剤等の助剤を適宜配合したものが用いられる。具体的には、基材の片面に粘着層を設けたものが粘着テープ；基材の片面に隠蔽力のある顔料とバインダーとしての高分子樹脂等からなる隠蔽層を設け、その上に粘着層を設けたものが修正テープ；基材の片面に蛍光着色層を設け、その上に粘着層を設けたものが蛍光テープである。基材の片面に形成される層の厚さは、通常、乾燥後において約０．３〜６０μｍの範囲である。
【００２７】
（ケース）
本発明の塗膜転写具１において、ケース２は、図２に示すように、ケース支持部３０と、該ケース支持部３０と嵌合するケース蓋部４０とから構成され、互いに対応すべく設けられた係着部によって、脱着可能である。図２に示す実施形態は、ケース支持部３０とケース蓋部４０の対応位置に形成された蝶番部２ｃによって、回転可能に支持された構造である。またケース２の構造は、これに限定されるものではなく、互いに分離する構造であってもよい。係着部の位置や構造も限定されない。
【００２８】
また、ケース支持部３０及びケース蓋部４０は、内部部品を収容する空間を確保するため、それぞれ中央部分に段差のある円形状部分３０ｅ及び４０ａが形成されているが、この形状に特に限定されるものではなく、種々変更することが可能である。
【００２９】
本発明の塗膜転写具１では、ケース支持部３０の閉着時の開きを防止するために、ケース支持部３０に、ロック部材４１を搭載することが好ましい。図２に示すロック部材４１は、中心に貫通穴４１ｅを有する円盤部４１ａと、２片の周壁４１ｂと、前記２片の略中間位置に設けられた操作片４１ｃとを具備し、周壁４１ｂの先端部は係止突起４１ｄが形成されている。
【００３０】
ロック部材４１の貫通穴４１ｅが、ケース支持部３０の中心部分に設けられた中心軸３０ｆに回転可能に軸支され、ケース支持部３０に設けられた開口部から操作片４１ｃが突出する。操作片４１ｃを回転させる動作によって、係止突起４１ｄがケース蓋部４０に形成された係止溝４０ｂに入り込むことで、ケース支持部３０とケース蓋部４０を連結させ、ケース２を閉蓋状態とすることができる。操作片４１ｃを、閉蓋操作時とは逆方向に回転操作することで、ケース支持部３０とケース蓋部４０の閉蓋状態が解除され、自由に開閉可能な開蓋状態へと切り替えることができる。
【００３１】
ケース支持部３０は、転写ヘッド１１と平行な軸に軸支されたキャップ２１を具備している（図３参照）。キャップ２１は必須ではないが、塗膜転写具不使用時に、キャップ２１を転写ヘッド先端部１１ａ方向に回転させることで、未使用の転写テープに塵埃などが付着することを防止できる。
【００３２】
（ユニット）  
図３は、ケース支持部及びユニットの分解斜視図である。
本発明の塗膜転写具１では、転写ヘッド１１の押圧によるユニット７０の移動手段として、ケース２内に回動或いは揺動可能に軸着されたユニット７０の回転移動による手段を用いることができる。ベース部材５０の端部をケース支持部３０面に回動或いは揺動可能に軸着させ、該ベース部材５０に、転写テープ８を搭載したホルダー６０を装着すると、これらがケース２内で一体となり、独立した回動運動或いは揺動運動を行うユニット７０を構成する。
【００３３】
また本実施形態は、詰め替えを想定した形態であるためホルダーを有しているが、ホルダーは必須ではなく、転写テープをベース部材に搭載してもよい。
【００３４】
上記のユニット７０を具備することにより、転写ヘッド１１を押圧した時にベース部材５０が一定量、回動或いは揺動し、押圧を解除した時にベース部材５０が元の位置に復帰する動作に連動して、供給リール５が回転し、未使用の転写テープ８が一定量送られる。それにより、転写後（使用後）の塗膜位置が、転写ヘッド１１に対し前進した状態になるため、次回の転写時に使用者が狙った位置から塗膜を転写することが可能となる。未使用の転写テープ８が送られる量は、後述するギア１９の歯径とベース部材５０の回動或いは揺動角度によって決定される。ギア１９の歯径が大きく、ベース部材５０の回動或いは揺動角度が小さいほど送り量が小さく、その逆であると送り量が大きくなる。従って、未使用の転写テープ８の送り量に合わせて、ギア１９の歯径、ベース部材５０の回動量或いは揺動量を調節することにより、所望の送り量を可能にすることができる。
【００３５】
上記のユニット７０は、ベース部材５０とホルダー６０から構成されている。その詳細を図３及び図４に示すように、ホルダー６０に配設された供給リール５と巻取リール６は、互いに噛合する巻取機構１０（詳細は後述する）を介して回転する。
【００３６】
また、リフィルユニット９は、ホルダー６０の供給リール５に転写テープ８を搭載し、該転写テープ８をホルダー６０先端のテープ保持部６０ｂに懸架したものであり、供給リール５、巻取リール６、及び単一方向にのみ回転する回転機構８０（詳細は後述する）を含むものである。塗膜転写具使用時には、供給リール５には転写テープ８が巻回され、供給リール５から引き出された転写テープ８が、転写ヘッド先端部（転写ローラー）１１ａで反転され、巻取リール６に連結された状態になっている。
【００３７】
（べース部材）
本発明の塗膜転写具１において、ベース部材５０は、後端部（転写ヘッドの反対側）に貫通穴５０ａを有し、先端部（転写ヘッド側）に貫通穴５０ａを軸中心とする円弧状のスロット穴５０ｂを有していることが好ましい。貫通穴５０ａを介して、ケース支持部３０の後端部に形成された回転支持部３０ａに、ベース部材５０の後端部を揺動可能に軸着することにより、ベース部材５０の前端部がケース開口部２ａに臨むように配置される。また、スロット穴５０ｂに、ケース支持部３０に形成された係止突起３０ｂが係ることにより、ベース部材５０がケース支持部３０から離反するのを制止するよう、係止される。
【００３８】
ベース部材とケース間の移動手段は、本実施例ではベース部材の端部の軸着による回転運動としているがこれに限定するものではなく、例えば供給リールの中心位置に設けてもよい。また移動手段は、回動或いは揺動に限定するものではなく、ケース内にベース部材を摺動可能に装着する係止部を設け、ベース部材を平行移動（すなわち、直線移動）させた手段を用いてもよい。
【００３９】
ケース支持部３０とベース部材５０の間には、ベース部材５０が一定量回動或いは揺動した動作を元の位置に復帰させる動作を補助する補助部材を配設することが好ましい。補助部材としては、公知の付勢部材、例えばゴム、スポンジ、ばね等の伸縮部材を使用できるが、ばね部材が好ましい。ばね部材（以下、第１のばね部材）１３を配設すると、該第１のばね部材１３の付勢力により、押圧を解除したときにベース部材５０が元の位置に容易に復帰する。
【００４０】
図３に示すように、ベース部材５０の貫通穴５０ａの反対側には、係止部５０ｃが設けられ、係止部５０ｃ近傍及びスロット穴５０ｂ近傍（図３に示すベース部材５０の裏面側）には、使用時に回動或いは揺動したベース部材５０を、非使用時の位置に戻すための第１のばね部材１３を横架する突起が形成されている。第１のばね部材１３は、転写時の押圧方向と逆方向に付勢力を与えている。また、ケース支持部３０にも、第１のばね部材１３を横架する突起が形成されている。
【００４１】
ベース部材５０は、ケース支持部３０の開口近傍で、係止突起３０ｂの外側に形成されたリブ３０ｃによって、回動或いは揺動範囲が規制される。
【００４２】
図３に示すように、転写ヘッド１１は、その先端部に、転写テープ８を転写するための転写ローラー１１ａと、転写ローラー１１ａを両側から軸着しベース部材５０に並行するアーム１１ｃと、アーム１１ｃの片側のみに形成され転写ヘッド１１をベース５０に装着するための平板状の係止部１１ｄとを備えている。係止部１１ｄは、ベース部材５０の前端側に形成された係止部（フック）５０ｃ、及び係止部５０ｃの間に横架された第２のばね部材１５により、摺動可能に装着されている。
【００４３】
転写ヘッド１１とベース部材５０の間には、転写ヘッド１１が前後に摺動する動作を補助する補助部材を配設することが好ましい。補助部材としては、公知の付勢部材、例えばゴム、スポンジ、ばね等の伸縮部材を使用できるが、ばね部材が好ましい。ばね部材（以下、第２のばね部材）１５を配設すると、該第２のばね部材１５は、ベース部材５０と連結された転写ヘッド１１に対し、ケース開口部２ａの逆方向（図３では右方向）に付勢力を与えるので、転写ヘッド１１が容易に前後に摺動することができる。
【００４４】
転写ヘッド１１のアーム１１ｃの垂直方向には、転写ローラー１１ａと平行に、第１のピン１１ｅ（図３参照）、第２のピン１１ｇ（図２参照）がほぼ対称に近い位置に形成されている。第２のピン１１ｇは、ベース部材５０に形成された貫通穴を通って、ケース支持部３０先端部に形成された略三角形の溝３０ｄに係合し、第１のピン１１ｅは、ケース蓋部４０の先端部に形成されたスロット溝４０ｃに係合する。
【００４５】
ケース蓋部４０がケース支持部３０と閉蓋状態にある時は、第２のピン１１ｇがスロット溝４０ｃに入り込みスロット溝４０ｃの壁面にガイドされることにより、回動或いは揺動作動下においても転写ヘッド１１がベース部材５０に対して後退しないよう規制される。ケース蓋部４０が開蓋状態にある時は前記規制が解除されるため、転写ヘッド１１が前後に摺動可能となる。その際、略三角形の溝３０ｄは第１のピン１１ｅが前後に可動する領域を満たす形状となっている。
【００４６】
（ホルダー）
ホルダー６０は、ケース内での省スペース化の点より、ベース部材５０と近似した外形形状をなしていることが好ましい。ホルダー６０の略前方には、転写ヘッド１１が収納される開口６０ａを有しテープ幅方向を規制するテープ保持部６０ｂが形成されている。ホルダー６０の中心には、単一方向にのみ回転する回転機構８０、及び、供給リール５を懸架するシャフト６０ｃが形成されている。ホルダー部材６０の中心を挟んでテープ保持部６０ｂの逆側には、巻取リール６を懸架するシャフト６０ｄが形成されている。中心に位置するシャフト６０ｃには、後述する単一方向にのみ回転する回転機構８０の一部が臨む開口６０ｅ（図３参照）が形成されている。
【００４７】
（単一方向にのみ回転する回転機構）  
図４は、単一方向にのみ回転する回転機構の構成例を説明する図である。
本発明の塗膜転写具１においては、ケース２と供給リール５が、単一方向にのみ回転を伝達する回転機構８０を介して連結されているため、ケース２内でのユニット７０の可動が、供給リール５の回転運動に変換されることにより、転写テープ８が一定量送られる。単一方向にのみ回転する回転機構８０は、供給リール５とケース蓋部４０の間の連結機構として設けられることが好ましい。これにより、供給リールが一方向にのみ回転するので、転写テープ８の送り出しが確実になる。
【００４８】
単一方向にのみ回転する回転機構８０は、ホルダー６０に形成されたシャフト６０ｃに軸着される、外周淵に歯車が形成されたギア１９と、供給リール５に連結する係止爪を備えたジョイント２０とから構成される。ギア１９とジョイント２０は、各中央部に設けられた円穴が回転可能にシャフト６０ｃに軸着し、ギア１９の円周内淵に形成された歯溝と、ジョイント２０の外淵先端に形成された係合爪がラチェット構造を形成している。ジョイント２０には突起部（とフック）が形成され、当該突起部により供給リール５と一体になるよう係止される。
【００４９】
ギア１９の歯車は、ホルダー６０の開口６０ｅから臨み、ケース蓋部４０に形成された突起部４０ｄと着脱可能に噛合する（図３参照）。なお、本実施例ではケース蓋部４０に形成される突起部４０ｄの外形は歯車の歯形状となっているが、歯間に隙間なく収まり適切に歯車を回転できればこの形状に限定される必要はない。
【００５０】
ギア１９とジョイント２０が同心軸にて回転摺動し、且つ２部品間に設けられたラチェット構造により、ギア１９に形成された歯車の回転運動を供給リール５に一方向のみ伝えることができる。一方向には空回転するが、逆方向には係合爪が歯溝に噛合するので、ホルダー６０の回動或いは揺動が供給リール５に伝達される。
【００５１】
上記の機構を採用することにより、使用時の押圧によりベース部材５０が回動或いは揺動するときには空転し、押圧を解除したときに回転する。
【００５２】
巻取リール６は、円周状のラック歯６ａが形成されており、ラック歯６ａがホルダー６０に形成された爪６０ｆに係止されることにより、逆転防止機構を形成している。また、巻取リール６のホルダー６０とは逆側面には歯車６ｂが形成され、脱着可能にベース５０に配設される巻取機構１０と噛合する（図４参照）。
【００５３】
（巻取機構）
図５は、巻取機構１０の構成例を示す図である。
巻取機構１０は、大ギア１４、小ギア１７、第３のばね部材１８、及びばね抑え１６からなり、大ギア１４と小ギア１７が、ベース部材５０に形成されたシャフト５０ｄに回転可能に軸支される（図３参照）。
【００５４】
ばね抑え１６の係止爪１６ａは、大ギア１４の貫通穴１４ａに係止され、ばね抑え１６に軸支された第３のばね部材１８が、２部品を反発させるよう介在している。
【００５５】
ばね抑え１６に形成されたリブ１６ｂが、供給リール５の内径に形成されたリブに係止されることで、供給リール５とばね抑え１６が同一に回転する。小ギア１７は、前述の巻取リール６の歯車６ｂと噛合する。ばね抑え１６の回転は、第３のばね部材１８の摩擦力を介して大ギア１４に伝わり、その後各小ギア１７へと回転を伝達する。各小ギア１７の外周に形成される歯車が巻取リール６の歯車６ｂと噛合することで、巻取リール６へと回転を伝達する。
【００５６】
（自動テープ送り機構）
次に、図６を用いて、転写動作と連動した自動テープ送り機構について説明する。
本発明の塗膜転写具１による転写は、ケース蓋部５が閉着状態、且つケース２が開かない状態（即ち、ロック部材４１によってロックされている状態）において行われる。
【００５７】
使用者がケース２を把持し、転写ヘッド１１を被転写面１００に当接させる（図６（ａ）参照）。そのまま被転写面１００に荷重を加えると、転写ヘッド１１と一体となったユニット７０が、ケース２内に横架された第１のばね部材１３の付勢力に反発しながら、ケース２後方の回転支持部３０ａを中心に回動或いは揺動を開始する。その際、転写ヘッド１１に形成された第１のピン１１ｅが、ケース蓋部４０に形成されるスロット溝４０ｃに内挿されることにより、ベース部材５０に対して転写ヘッド１１は後退することなく、回転支持部３０ａを中心とした円弧状に動作する。
【００５８】
上記動作と同時期に、ケース蓋部４０に対してユニット７０が円弧状に移動することにより、ケース蓋部４０に形成された突起部４０ｄと噛合しているギア１９が回転するが、単一方向にのみ回転する回転機構８０により空転するので、供給リール５は回転方向に変位しない。
【００５９】
転写ヘッド１１の第１のピン１１ｅ及び第２のピン１１ｇが、ケース支持部３０の略三角形の溝３０ｄ及びケース蓋部４０のスロット溝４０ｃの端部に係ると、回動或いは揺動動作が停止する（図６（ｂ）、図６（ｃ）参照）。ユニット７０がケース２と一体となった状態のまま、使用者によりさらに被転写面１００方向に荷重がかけられると、転写ヘッド先端部１１ａ上に張架している転写テープ８表面の塗膜が、被転写面１００上に押圧転写される。
【００６０】
被転写面１００への押圧状態が維持されたまま、使用者がケース２を被転写面１００と平行方向に移動させることにより、転写テープ８表面の塗膜が被転写面１００に連続して転写される。また、送られた転写テープ８は、巻取機構１０によってその回転が伝達され、巻取リール６に巻回される。
【００６１】
使用者が移動を停止した時点で連続転写が終了する。その状態からケース２を被転写面１００から離反する方向に引き上げると（図６（ｄ）参照）、ユニット７０がケース２と係止された第１のばね部材１３の付勢力により、非使用時の方向に回動復帰或いは揺動復帰し始める。それと同時に、ケース蓋部５に形成された突起部４０ｄが噛合するギア１９を回転させる。ギア１９は、ジョイント２０とのラチェット機構によってジョイント２０と一体となった供給リール５を回転させることにより、転写ヘッド１１の押圧によりユニット７０が移動した状態から元の位置へ復帰するときにのみ、ケース２の引上動作と同時に転写テープ８が一定量搬送される。
【００６２】
被転写面１００からの離反が進み、ユニット７０が元の位置に復帰すると、回動運動或いは揺動運動が停止し、それに伴いギア１９と連動した転写テープ８の搬送も停止する。さらに使用者がケース２を引き上げることで、転写テープ８の塗膜が被転写面１００から切断される。なお、回動動作或いは揺動動作を説明するため、図６（ｄ）の状態と塗膜切断を分けて説明したが、通常の使用では２つの動作は瞬時に行われるため、被転写面１００から転写ローラー１１ａが離反したあとに、ユニット７０が非使用時の状態に戻ることも十分にあり得る。
【００６３】
以上の一連の動作によって、塗膜転写具使用後に未使用の転写テープ８が一定量搬送されることで、転写ヘッド１１に対して塗膜が前進した状態になる。従って、次回の使用時には、毎回、転写時に使用者が狙った位置から塗膜を転写することが可能となる。
【００６４】
（交換態様）
図７は、リフィルユニット９の交換態様を説明する図である。本作業は転写テープ８を使い切った状態から行われることが一般的であるが、転写テープ８が残っている状態であっても構わない。
【００６５】
先ず、ロック部材４１のロックを解除し、ケース蓋部４０を開閉自在状態にする（図７（ａ）参照）。次に、ケース蓋部４０を開くことにより、ケース蓋部４０のスロット溝４０ｃの壁面に係止されていた転写ヘッド１１に形成された第１のピン１１ｅの係止が解除される。それにより、転写ヘッド１１は、第２のばね部材１５の付勢力に従い、開口部２ａとは逆方向に移動し、ベース部材５０の係止部５０ｅまで一定量移動したのち停止する。ケース蓋部４０は、完全に開放した位置で係止される（図７（ｂ）参照）。
【００６６】
使用者がホルダー６０の波状壁面６０ｇを把持し、ホルダー６０を引き上げると、供給リール５及び巻取リール６と、ベース部材５０に配設されている巻取機構１０の係着が解除され、リフィルユニット９が本体と分離する（図７（ｃ）参照）。
【００６７】
新規のリフィルユニット９を対応箇所へ配設し、ケース蓋部４０を閉蓋させるよう移動させると、ケース蓋部４０の傾斜面４０ｅが、転写ヘッド１１の第１のピン１１ｅに当接する。更に、使用者によりケース蓋部４０に閉蓋荷重を加え続けると、転写ヘッド１１の第１のピン１１ｅが傾斜面４０ｅに案内され、転写ヘッド１１を付勢している第２のばね部材１５に反発しながら、転写ヘッド１１が開口部２ａ側に摺動移動する。
【００６８】
ケース蓋部４０をケース支持部３０に当接するまで閉蓋させていくと、ホルダー６０先端のテープ保持部６０ｂに懸架されている転写テープ８を、転写ヘッド１１が背面から押し込むと同時に、傾斜面４０ｅの端からスロット溝４０ｃに第１のピン１１ｅが落ち込み、第１のピン１１ｅが溝周壁に係止され、転写テープ８が張架された位置で転写ヘッド１１が係止される（図７（ｃ）、図８参照）。
【００６９】
最後に、ロック部材４１を操作し、ケース支持部３０とケース蓋部４０を固定して、転写可能な状態に復帰させる。
【００７０】
以上説明した通り、ケース２のケース蓋部４０の開閉動作に連動して、転写ヘッド１１が一定量可動することにより、ケース２側に転写ヘッド１１を残す構造でありながら、簡易な操作でリフィルユニット９の交換を行うことが可能となる。また、使用者が特に複雑な動作を意識することなく、転写テープの詰め替えを行うことができる。
【００７１】
また、ケース側に転写ヘッドを残す構造であるため、廃棄部品の低減が期待できるとともに、自然な転写で毎転写開始時の転写位置後退を解消できる塗膜転写具を提供できる。
【００７２】
以上、本発明に係る塗膜転写具の実施形態について説明したが、本発明はこれら実施形態に限定されるものではなく、本発明の範囲を逸脱することなく種々の変形が可能である。
【産業上の利用可能性】
【００７３】
本発明の塗膜転写具は、粘着テープ、修正テープ、蛍光テープ等のテープ類を装着して使用することができる。
【符号の説明】
【００７４】
１      塗膜転写具
２      ケース
２ａ    開口部
２ｃ    蝶番部
５      供給リール
６      巻取リール
６ａ    ラック歯
６ｂ    歯車
８      転写テープ
９      リフィルユニット
１０      巻取機構
１１      転写ヘッド
１１ａ    転写ヘッド先端部（転写ローラー）
１１ｃ    アーム
１１ｄ    係止部
１１ｅ    第１のピン
１１ｇ    第２のピン
１３      第１のばね部材
１４      大ギア
１４ａ    貫通穴
１５      第２のばね部材
１６      ばね抑え
１６ａ    係止爪
１６ｂ    リブ
１７      小ギア
１８      第３のばね部材
１９      ギア
２０      ジョイント
２１      キャップ
３０      ケース支持部
３０ａ    回転支持部
３０ｂ    係止突起
３０ｃ    リブ
３０ｄ    略三角形の溝
３０ｅ    段差
３０ｆ    中心軸
４０      ケース蓋部
４０ａ    円状の段差
４０ｂ    係止溝
４０ｃ    スロット溝
４０ｄ    突起部
４０ｅ    傾斜面
４１      ロック部材
４１ａ    円盤部
４１ｂ    周壁
４１ｃ    操作片
４１ｄ    係止突起
４１ｅ    貫通穴
５０      ベース部材
５０ａ    貫通穴
５０ｂ    スロット穴
５０ｃ    係止部
５０ｄ    シャフト
５０ｅ    係止部
６０      ホルダー
６０ａ    開口
６０ｂ    テープ保持部
６０ｃ    シャフト
６０ｄ    シャフト
６０ｅ    開口
６０ｆ    爪
６０ｇ    波状壁面
７０      ユニット
８０      単一方向にのみ回転する回転機構
１００      被転写面
【図１】
2014156101.tif 000003
【図２】
2014156101.tif 000004
【図３】
2014156101.tif 000005
【図４】
2014156101.tif 000006
【図５】
2014156101.tif 000007
【図６】
2014156101.tif 000008
【図７】
2014156101.tif 000009
【図８】
2014156101.tif 000010